(57)【要約】【課題】清掃装置の調整作業や集まった塵埃の除去作業等を、踏段の下へと作業者が潜り込む必要がなく容易に行うことができる乗客コンベアの踏段清掃装置を簡潔な構成により得る。【解決手段】乗客コンベアの踏段清掃装置に関し、乗客コンベアのトラス内に設けられ、複数が無端状に連結され、トラス長手方向において循環移動する踏段を具備し、トラス長手方向の一端寄りで踏段が往路側から帰路側へと上下反転して踏段の踏面が下向きになり、他端寄りで踏段が帰路側から往路側へと上下反転して踏面が上向きになる乗客コンベアにおいて、踏段帰路の下方に配設され、踏面を清掃するブラシと、帰路側にある踏段に対してブラシを上下方向移動自在に支持するブラシ支持手段と、踏段反転部よりトラス端側の位置における操作により、ブラシの帰路側にある踏段に対する上下方向位置を調整するブラシ位置調整手段を備える。【選択図】図２
2009298583.tif 000002
【特許請求の範囲】
【請求項１】
乗客コンベアのトラス内に設けられ、複数が無端状に連結され、前記トラスの長手方向において循環移動する踏段を具備し、前記トラスの長手方向の一端寄りで前記踏段が往路側から帰路側へと上下反転して前記踏段の踏面が下向きになり、他端寄りで前記踏段が帰路側から往路側へと上下反転して前記踏面が上向きになる乗客コンベアにおいて、
前記踏段が前記踏面を下向きにして移動している前記帰路の下方に配設され、前記踏面を清掃するブラシと、
前記帰路側にある前記踏段に対して前記ブラシを上下方向移動自在に支持するブラシ支持手段と、
前記踏段が前記往路側から前記帰路側へと又は前記帰路側から前記往路側へと上下反転する反転部よりトラス端側の位置における操作により、前記ブラシの前記帰路側にある前記踏段に対する上下方向位置を調整するブラシ位置調整手段を備えたことを特徴とする乗客コンベアの踏段清掃装置。
【請求項２】
前記ブラシ位置調整手段は、
回動することにより、前記ブラシの前記帰路側にある前記踏段に対する上下方向位置を移動させるレバーと、
一端が前記レバーに連結され、他端が前記反転部よりトラス端側に配置されるロッドと、を備えたことを特徴とする請求項１に記載の乗客コンベアの踏段清掃装置。
【請求項３】
前記踏段が前記踏面を下向きにして移動している前記帰路の下方に配設され、前記踏段から落下する塵埃等を受けて溜めるダストトレイを備え、
前記ダストトレイは、前記反転部よりトラス端側の位置における操作により、前記ダストトレイを前記反転部よりトラス端側の位置に引出し可能に配設されることを特徴とする請求項１又は請求項２のいずれかに記載の乗客コンベアの踏段清掃装置。
【請求項４】
前記ダストトレイが所定位置から上方向及びトラス幅方向へと移動することを抑止するとともに、前記ダストトレイのトラス長手方向における摺動を案内する押えガイドと、
前記ダストトレイが所定位置から反トラス端方向へと移動することを抑止するストッパーとを備え、
前記ブラシ支持手段は、前記ダストトレイの上面に取付されたことを特徴とする請求項３に記載の乗客コンベアの踏段清掃装置。
【発明の詳細な説明】
【技術分野】
【０００１】
この発明は、乗客コンベアの踏段清掃装置に関するものである。
【背景技術】
【０００２】
従来における乗客コンベアの踏段清掃装置においては、無端状に連設され、乗り口と降り口との間を回転する複数の踏段と、前記降り口で上下反転した踏段の近傍に設置されるオイルパン及びフレームと、を備え、前記踏段の踏面から前記オイルパンへと自然落下した塵埃を集めるものが知られている。
また、踏面に流体（圧縮空気）を噴出して清掃を行うものとして、無端状に連設され、乗り口と降り口との間を回転する複数の踏段と、前記降り口で上下反転した踏段の近傍に設置されるオイルパン及びフレームと、前記乗り口あるいは降り口で上下反転した前記踏段と前記オイルパンもしくはフレームとの間に、前記踏面に向かって流体を噴出して塵埃を吹き飛ばすコンプレッサと、を備え、この吹き飛ばされた塵埃をコンプレッサの吸引力により吸引するものも知られている（例えば、特許文献１参照）。
【０００３】
【特許文献１】特開平０４−３１７９９１号公報
【発明の開示】
【発明が解決しようとする課題】
【０００４】
しかしながら、特許文献１に示された従来における乗客コンベアの踏段清掃装置においては、流体に高圧を掛けて噴出させるためのコンプレッサが必要であるため、構成が複雑化してしまうという課題や、清掃装置の調整作業やコンプレッサにより吸引しきれずに受け皿に残ってしまった塵埃の除去作業等を行う場合に、踏段の下へと作業者が潜り込んで作業を行うことが必要で煩雑であるという課題がある。
また、従来における踏段の踏面からオイルパンへと自然落下した塵埃を集めるンコンベアの踏段清掃装置においては、踏面に付着して自然落下しない塵埃が踏段に残ってしまい清掃が十分に行われない場合があるという課題がある。これは、特に乗客コンベアの利用者が多い場合には顕著になり、使用者に不快感を与えてしまう場合がある。
【０００５】
この発明は、前述のような課題を解決するためになされたもので、第１の目的は、簡潔な構成により踏段の踏面の清掃を十分に行うことができる乗客コンベアの踏段清掃装置を得るものである。
また、第２の目的は、清掃装置の調整作業や集まった塵埃の除去作業等を行う場合に、踏段の下へと作業者が潜り込む必要がなく、これらの作業を容易に行うことができる乗客コンベアの踏段清掃装置を得るものである。
【課題を解決するための手段】
【０００６】
この発明に係る乗客コンベアの踏段清掃装置については、乗客コンベアのトラス内に設けられ、複数が無端状に連結され、前記トラスの長手方向において循環移動する踏段を具備し、前記トラスの長手方向の一端寄りで前記踏段が往路側から帰路側へと上下反転して前記踏段の踏面が下向きになり、他端寄りで前記踏段が帰路側から往路側へと上下反転して前記踏面が上向きになる乗客コンベアにおいて、前記踏段が前記踏面を下向きにして移動している前記帰路の下方に配設され、前記踏面を清掃するブラシと、前記帰路側にある前記踏段に対して前記ブラシを上下方向移動自在に支持するブラシ支持手段と、前記踏段が前記往路側から前記帰路側へと又は前記帰路側から前記往路側へと上下反転する反転部よりトラス端側の位置における操作により、前記ブラシの前記帰路側にある前記踏段に対する上下方向位置を調整するブラシ位置調整手段を備えた構成とする。
【発明の効果】
【０００７】
この発明は乗客コンベアの踏段清掃装置に関し、乗客コンベアのトラス内に設けられ、複数が無端状に連結され、前記トラスの長手方向において循環移動する踏段を具備し、前記トラスの長手方向の一端寄りで前記踏段が往路側から帰路側へと上下反転して前記踏段の踏面が下向きになり、他端寄りで前記踏段が帰路側から往路側へと上下反転して前記踏面が上向きになる乗客コンベアにおいて、前記踏段が前記踏面を下向きにして移動している前記帰路の下方に配設され、前記踏面を清掃するブラシと、前記帰路側にある前記踏段に対して前記ブラシを上下方向移動自在に支持するブラシ支持手段と、前記踏段が前記往路側から前記帰路側へと又は前記帰路側から前記往路側へと上下反転する反転部よりトラス端側の位置における操作により、前記ブラシの前記帰路側にある前記踏段に対する上下方向位置を調整するブラシ位置調整手段を備えた構成としたことで、簡潔な構成により踏段の踏面の清掃を十分に行うことができるという効果を奏する。
また、清掃装置のブラシ位置調整作業を行う場合に、踏段の下へと作業者が潜り込む必要がなく作業を容易に行うことができるという効果を併せ奏する。
【発明を実施するための最良の形態】
【０００８】
この発明を添付の図面に従い説明する。各図を通じて同符号は同一部分又は相当部分を示しており、その重複説明は適宜に簡略化又は省略する。
【０００９】
実施の形態１．
図１及び図２は、この発明の実施の形態１に関するもので、図１は乗客コンベアの機械室部分の側面図、図２は図１中の踏段清掃装置を拡大した側面図、図３は図２中の矢印Ａの示す方向から見た矢視図であり、踏段清掃装置の平面図、図４は図２中の断面Ｂ−Ｂによる断面図、図５は図２中の断面Ｃ−Ｃによる断面図、図６は図２中の断面Ｄ−Ｄによる断面図、図７は踏段清掃装置のブラシを上昇させて踏段に接触させた状態を示す側面図、図８は踏段清掃装置のロッドを保持具から外した状態を示す側面図、図９は踏段清掃装置のダストトレイを踏段下方から引出した状態を示す側面図である。
図において２は乗客コンベア１のトラスであり、その長手方向両端部が前記乗客コンベア１の設置される建物に支持されている。前記トラス２内には、複数が無端状に連結され、前記トラス２の長手方向において循環移動する踏段３が設けられており、前記トラス２の長手方向の一端寄りにおいては前記踏段３が往路側から帰路側へと上下反転して前記踏段３の踏面３ａが下向きになり、他端寄りにおいては前記踏段３が帰路側から往路側へと上下反転して前記踏面３ａが上向きになる。
そして、前記トラス２底部には、そのほぼ全面を覆うようにしてオイルパン４が設置されている。
【００１０】
前記踏段３が前記踏面３ａを下向きにして移動している帰路の下方の任意の位置（例えば、前記踏段３が帰路側から往路側へと上下反転する反転部の近傍）には、踏段清掃装置本体５が配設されており、この踏段清掃装置本体５は以下のようにして構成されている。
すなわち、前記オイルパン４の上面には前記踏段３から落下する塵埃等を受けて溜めるダストトレイ６が取付されており、このダストトレイ６は前記オイルパン４の上面に固定された押えガイド７及びストッパー８により所定の位置に保持されている。
ここで、前記押えガイド７は、略Ｚ字型をなし、前記所定の位置にある前記ダストトレイ６の前記トラス２の幅方向における両側に配置されて、上方向及び前記トラス２の幅方向へと前記ダストトレイ６が移動することを抑止するとともに、前記ダストトレイ６の前記トラス２長手方向における摺動を案内する。また、前記ストッパー８は、略Ｚ字型をなし、前記所定の位置にある前記ダストトレイ６の反トラス端側に配置されて、反トラス端方向へと前記ダストトレイ６が移動することを抑止している。
【００１１】
そして、前記ダストトレイ６の上面には、断面略コ字型を呈する一対のブラシガイド９が前記トラス２の幅方向に平行に、かつ、その凹陥部が互いに対向するように配置して立設されている。
１０は上面に前記踏段３の前記踏面３ａを清掃するブラシ１１が取付されたブラシ取付具で、その長手が前記トラス２の幅方向と平行となるように配置されるとともに、このブラシ取付具１０の両端部にはそれぞれ下方へと略直角に折曲された形状を呈するガイド部１０ａが形成され、それぞれの前記ガイド部１０ａは前記ブラシガイド９の凹陥部に摺動自在に係合している。
このようにして、前記ブラシガイド９及び前記ブラシ取付具１０からなるブラシ支持手段により、前記ブラシ１１は帰路側にある前記踏段３に対して上下動自在に支持されている。
【００１２】
一対の前記ブラシガイド９のトラス端側には、それぞれブラケット１２が取付されており、これらの前記ブラケット１２には、略Ｌ字型を呈するレバー１３が、その中央屈曲部において第１のピン１４ａにより回動自在に取付されている。
このレバー１３は一方の腕部（ブラシ側腕部１３ａ）が水平方向の反トラス端側へと、他方の腕部（ロッド側腕部１３ｂ）が上側へと配置されており、回動中心から見て反トラス端側へと配置された前記ブラシ側腕部１３ａには、略水平方向に長径を持つ水平長孔１３ｃが穿設されている。
そして、一対の前記ブラシガイド９それぞれには、上下方向に長径を持つ垂直長孔９ａが穿設されており、第２のピン１４ｂが、前記水平長孔１３ｃ及び前記垂直長孔９ａを通された上で、前記ブラシ取付具１０の前記ガイド部１０ａへと螺着されている。
【００１３】
前記レバー１３の回動中心から見て上側へと配置された前記ロッド側腕部１３ｂの端部には、前記レバー１３のトラス端側へと略水平に配置されるロッド１５が、第３のピン１４ｃにより回動自在に連結されている。
このロッド１５のトラス端側、すなわち反レバー側の端部の下方には、保持具１６が前記オイルパン４の上面に固着されて立設されており、この保持具１６の上端部には、上方が開放された長円形状を呈するＵ字型孔１６ａが設けられている。
そして、このＵ字型孔１６ａには、前記ロッド１５の反レバー側端部に螺刻されたネジ棒部１５ａが挿入された上で、このネジ棒部１５ａに螺合する２つのナット１７により前記Ｕ字型孔１６ａの両側から締結されることで、前記ロッド１５が固定される。
ここで、前記ロッド１５は、その反レバー側の端部が前記踏段３の下方に位置することがない程度に十分な長さを持っており、前記保持具１６は、前記踏段３が帰路側から往路側へと上下反転する反転部よりもトラス端側に配置される。
【００１４】
このような構成において、前記レバー１３、前記ロッド１５、保持具１６及び前記ナット１７からなるブラシ位置調整手段に対して所定の操作を行うことにより、前記ブラシ１１の前記踏段３に対する上下方向位置を調整することができる。
すなわち、前記ナット１７を回して、締結位置を前記ネジ棒部１５ａの反トラス端側へと移動させると、前記ロッド１５が前記保持具１６に対して引寄せられてトラス端側へと移動する。そして、前記第３のピン１４ｃにより前記ロッド１５と連結された前記レバー１３の前記ロッド側腕部１３ｂがトラス端側へと引寄せられて前記レバー１３が回動し、すなわち前記ブラシ側腕部１３ａは上方へと回動する。
前記レバー１３の前記ブラシ側腕部１３ａが上方へと回動すると、前記ブラシ側腕部１３ａの前記水平長孔１３ｃ内を摺動する前記第２のピン１４ｂは、前記ブラシガイド９の前記垂直長孔９ａに案内されて上方へと移動し、前記ブラシ取付具１０は上へと持上げられ、前記ブラシ１１の位置が上昇する。
また、これとは反対に、前記ナット１７を回して、締結位置を前記ネジ棒部１５ａのトラス端側へと移動させると、前記ロッド１５が前記保持具１６に対して押出されて反トラス端側へと移動する。そして、前記第３のピン１４ｃにより前記ロッド１５と連結された前記レバー１３の前記ロッド側腕部１３ｂが反トラス端側へと押出されて前記レバー１３が回動し、すなわち前記ブラシ側腕部１３ａは下方へと回動する。
前記レバー１３の前記ブラシ側腕部１３ａが下方へと回動すると、前記ブラシ側腕部１３ａの前記水平長孔１３ｃ内を摺動する前記第２のピン１４ｂは、前記ブラシガイド９の前記垂直長孔９ａに案内されて下方へと移動し、前記ブラシ取付具１０は下方へと下げられ、前記ブラシ１１の位置が下降する。
以上のようにして、前記ナット１７を回すことにより前記ブラシ１１の位置を上昇又は下降させて、前記ブラシ１１の位置が前記踏段３に対して最も適切となるように調整する（図７）。
【００１５】
また、前記ダストトレイ６に溜まった塵埃を取除く等の保守作業を行う場合には、まず、前記ナット１７の締結を緩めて前記ロッド１５を前記保持具１６から取外す（図８）。次に、前記ロッド１５をトラス端側へと引くと、前記ダストトレイ６が前記押えガイド７に摺動案内されながらトラス端側へと引寄せられ、前記踏段３の下方の位置から引出される（図９）。
この状態で、前記ダストトレイ６に溜まった塵埃を取除く等の保守作業を行う。また、この状態からさらに作業に都合のよい場所へと前記ダストトレイ６を持ち運んだ上で作業を行ってもよい。
そして、前記ダストトレイを所定の位置へと戻す場合には、前記ダストトレイ６を前記押えガイド７に係合させて、前記ダストトレイ６が前記ストッパー８へと当接するまで反トラス端側へと押入れる。
【００１６】
以上のように構成された乗客コンベアの踏段清掃装置においては、踏段が踏面を下向きにして移動している帰路の下方に踏面を清掃するブラシを配設し、ブラシ支持手段により踏段に対してこのブラシを上下方向移動自在に支持することにより簡潔な構成により踏段の踏面の清掃を十分に行うことができるとともに、回動することでブラシの踏段に対する上下方向位置を移動させるレバーと、一端が前記レバーに連結され他端が反転部よりトラス端側に配置されるロッドと、を具備する前記ブラシ位置調整手段を備えたため、反転部よりトラス端側の位置における操作によりブラシの踏段に対する上下方向位置を調整することができ、踏段の下へと作業者が潜り込むことなく容易にブラシを適切な位置に調整することが可能である。
そして、踏段から落下する塵埃等を受けて溜めるダストトレイを、反転部よりトラス端側の位置での操作により踏段の下方からに引出し可能に配設するとともに、このダストトレイが所定位置から上方向及びトラス幅方向へと移動することを抑止し、かつ、ダストトレイのトラス長手方向における摺動を案内する押えガイドと、ダストトレイが所定位置から反トラス端方向へと移動することを抑止するストッパーと設けることにより、清掃装置の調整作業や集まった塵埃の除去作業等を行う場合に、踏段の下へと作業者が潜り込む必要がなく、これらの作業を容易に行うことができ、かつ、作業後にダストトレイ及びこれに取付されたブラシを最適な位置へと容易に戻すことが可能である。
【００１７】
また、踏段の下方に配設されたブラシの位置を調整するためのロッドは略水平に配置されており、踏段とオイルパンとの狭い隙間にあって簡潔な構成によりこのブラシの上下位置を容易調整することが可能となっている。
このように、踏段清掃装置を踏段の下方に配設することにより、踏段反転部よりトラス端側のスペースに配置される乗客コンベアを駆動する駆動機や動作を制御する制御盤等との干渉を最小限に抑えることができる。
なお、この踏段清掃装置は、トラスの一端側のみに設置してもよいし、もちろん両端側にそれぞれ設置するようにしてもよい。また、エスカレータのみならずトラベータ（動く歩道）といった乗客コンベア全般に適用可能であることはいうまでもない。
【図面の簡単な説明】
【００１８】
【図１】この発明の実施の形態１における乗客コンベアの機械室部分の側面図である。
【図２】この発明の実施の形態１における図１中の踏段清掃装置を拡大した側面図である。
【図３】この発明の実施の形態１における図２中の矢印Ａの示す方向から見た矢視図であり、踏段清掃装置の平面図である。
【図４】この発明の実施の形態１における図２中の断面Ｂ−Ｂによる断面図である。
【図５】この発明の実施の形態１における図２中の断面Ｃ−Ｃによる断面図である。
【図６】この発明の実施の形態１における図２中の断面Ｄ−Ｄによる断面図である。
【図７】この発明の実施の形態１における踏段清掃装置のブラシを上昇させて踏段に接触させた状態を示す側面図である。
【図８】この発明の実施の形態１における踏段清掃装置のロッドを保持具から外した状態を示す側面図である。
【図９】この発明の実施の形態１における踏段清掃装置のダストトレイを踏段下方から引出した状態を示す側面図である。
【符号の説明】
【００１９】
１    乗客コンベア
２    トラス
３    踏段
３ａ  踏面
４    オイルパン
５    踏段清掃装置本体
６    ダストトレイ
７    押えガイド
８    ストッパー
９    ブラシガイド
９ａ  垂直長孔
１０    ブラシ取付具
１０ａ  ガイド部
１１    ブラシ
１２    ブラケット
１３    レバー
１３ａ  ブラシ側腕部
１３ｂ  ロッド側腕部
１３ｃ  水平長孔
１４ａ  第１のピン
１４ｂ  第２のピン
１４ｃ  第３のピン
１５    ロッド
１５ａ  ネジ棒部
１６    保持具
１６ａ  Ｕ字型孔
１７    ナット
【図１】
2009298583.tif 000003
【図２】
2009298583.tif 000004
【図３】
2009298583.tif 000005
【図４】
2009298583.tif 000006
【図５】
2009298583.tif 000007
【図６】
2009298583.tif 000008
【図７】
2009298583.tif 000009
【図８】
2009298583.tif 000010
【図９】
2009298583.tif 000011